(57)【特許請求の範囲】
【請求項１】
表面側に配送情報記入部を有し、裏面側に配送品貼着用の粘着剤を設けた貼付票と、表面側に配送情報記入部を有し、前記貼付票の表面側に剥離可能に接着した前記貼付票から剥離する配達票兼受領票と、前記貼付票の粘着剤を被覆する剥離紙とを重ねてなり、前記各配送情報記入部が対応位置するように構成した配送伝票であって、配達票兼受領票の配送情報記入部にその表面側からの記入により前記貼付票の配送情報記入部へ複写記入するよう配達票兼受領票と貼付票間に複写構造を設けるとともに、下位の貼付票の所定辺または所定コーナーに切欠部を設け、この切欠部に対応する上位の配達票兼受領票部分に指を掛けうるよう構成したことを特徴とする配送伝票。
【発明の詳細な説明】
【０００１】
【発明の属する技術分野】
本発明は、配送品の配送作業に用いる配送伝票に係り、特に、配送伝票を貼着した配送品を受取人に手渡した際に配達票兼受領票を剥離し、持ち帰るようになした配送伝票に関する。
【０００２】
【従来の技術】
従来のこの種配送伝票は、例えば、表面側に配送情報記入部を各有し、切り離し線を境に連接した配達票兼受領票および貼付票を、裏面側に設けた粘着剤を剥離紙で被覆した保護シートの表面側に重ねて接着し、配達票兼受領票は接着シートに剥離可能に接着してなるものがある。
【０００３】
そして、使用にあたっては、先ず、前記配送伝票の、貼付票と配達票兼受領票が重なったものを剥離紙を剥離して粘着剤で配送品に貼着し配送する。この配送品を受取人に手渡す際には、配達票兼受領票を、その所定辺あるいは所定のコーナーに指腹を引っかけるようにして若干剥がし、この剥した部分を摘んで全体を捲くるように剥離して持ち帰るのである。
【０００４】
【発明が解決しようとする課題】
上記従来の配送伝票は、受領票の所定辺あるいは所定コーナーに指腹を引っかけるようにして若干剥がすという上記作業が難しく、失敗してはもどかしい思いをするという問題があった。特に、スピーディーな動作を必要とする配送作業では小さからぬ問題であった。本発明はこの問題を解決した配送伝票を提供することを目的とする。
【０００５】
【課題を解決するための手段】
この目的を達成するために、本発明の請求項１に記載した配送伝票は、表面側に配送情報記入部を有し、裏面側に配送品貼着用の粘着剤を設けた貼付票と、表面側に配送情報記入部を有し、前記貼付票の表面側に剥離可能に接着した前記貼付票から剥離する配達票兼受領票と、前記貼付票の粘着剤を被覆する剥離紙とを重ねてなり、前記各配送情報記入部が対応位置するように構成し、配達票兼受領票の配送情報記入部にその表面側からの記入により前記貼付票の配送情報記入部へ複写記入するよう配達票兼受領票と貼付票間に複写構造を設けるとともに、下位の貼付票の所定辺または所定コーナーに切欠部を設け、この切欠部に対応する上位の配達票兼受領票部分に指を掛けうるよう構成したものである。
【０００６】
【発明の実施の形態】
以下に、本発明の好適な実施形態を添付図面の図１〜図６に基づいて詳細に説明する。ここにおいて、図１は表面図、図２は図１のＡ−Ａ線断面図、図３は配達票兼受領票を剥離した状態の貼付票を示す表面図、図４は斜視図、図５は第１変形例における配達票兼受領票を剥離し始めた状態を示す斜視図、図６は第２変形例における配達票兼受領票を剥離し始めた状態を示す斜視図である。
【０００７】
図１〜図４に示すように、配送伝票１は、表面側に配送情報記入部２を有し、裏面側に粘着剤３を設けた貼付票４（図３参照）と、表面側に配送情報記入部５を有し、裏面側に剥離可能な接着剤６を設けた配達票兼受領票７（図２参照）と、前記貼付票４の粘着剤３を被覆する剥離紙８とを重ねてなり、前記配達票兼受領票７の配送情報記入部５にその表面側からの記入により前記貼付票４の配送情報記入部２へ複写記入するよう構成する。
【０００８】
また、前記下位の貼付票４の所定辺（図１〜図４において左側辺）全体は、上位の配達票兼受領票７の対応部分より内側に引っ込むようカットし、切欠部４ａとする。なお、この切欠部４ａは、このようにカットして設けるのではなく、あらかじめ貼付票４の幅を配達票兼受領票７より短尺に形成しておいてもよい。
【０００９】
図３に示すように、貼付票４の表面側には、枠で囲った「貼付票」なる表題９と、届け先記入欄１０、送り主記入欄１１、品名記入欄１２からなる前記配送情報記入部２と、受付日欄１３とが印刷してある。
【００１０】
図１に示すように、配達票兼受領票７の表面側には、枠で囲った「配達票」なる表題１４と、届け先記入欄１５、送り主記入欄１６、品名記入欄１７からなる前記配送情報記入部５と、記事記入欄１８と、バーコードで表示する発店コード記入欄１９と、直接の受取人に係る表示部２０ａを有する捺印欄２０と、受付日欄２１とがあらかじめ印刷してある。この配送情報記入部５の各欄は、貼付票４に配達票兼受領票７が重なった状態において、前記貼付票４の配送情報記入部５の前記各欄に対応するように配置する。
【００１１】
上記接着剤６は、接着後に剥離可能な感圧性接着剤であり、例えば、天然ゴム１００重量部に対し、スチレン２重量部とメタクリル酸メチル１０重量部とをグラフト共重合させて得られた天然ゴムラテックスに、テルペン樹脂系粘着付与剤５重量部を添加して感圧性のベース接着剤とし、このベース接着剤１００重量部に対し、平均粒径５μｍのシリカゲル２０重量部を添加してなるものを用いる。
【００１２】
また貼付票４の表面には、配送情報記入部２の届け先記入欄１０、送り主記入欄１１、品名記入欄１２の各位置には、ロイコ系染料に内包したマイクロカプセルからなる発色剤が固体酸からなる顕色剤中に分散されてなる複写構造であるノーカーボン自己発色複式層２２が設けられている。
【００１３】
また、この配送伝票１は折り兼切り用ミシン目２３を介して連続状態に設けられている。そして、手書き、あるいは適宜なプリンタによって、配達票兼受領票７の、届け先記入欄１５、送り主記入欄１６、品名記入欄１７、記事記入欄１８、バーコードや手書きで表示する発店コード記入欄１９、直接の受取人に係る表示部２０ａ、受付日欄２１に、それぞれ所定事項を記入あるいはマークすると、貼付票４の、届け先記入欄１０、送り主記入欄１１、品名記入欄１２、受付日欄１３に、前記所定事項と同一事項が複写記入される。続いて、前記折り兼切り用ミシン目２３を切り離して、配送に必要な情報を記入した配送伝票１が作成される。
【００１４】
この配送伝票１は、配送品に剥離紙８を剥離して粘着剤３で貼着し、この配送品を受取人に手渡した際に、貼付票４の切欠部４ａに対応する配達票兼受領票７部分を指で摘まみ全体を捲くるように剥離し、分離したこの配達票兼受領票７を持ち帰るものである。このように配送伝票１は、前記切欠部４ａを設けたので、配達票兼受領票７が摘みやすいという利点がある。
【００１５】
次に、上記実施形態の第１変形例を、図５（配達票兼受領票を剥離している状態を示す斜視図）によって説明する。この第１変形例の配送伝票３１は、下位の貼付票３２の所定コーナーを三角形状に切り欠いて切欠部３２ａを形成した貼付票３２の構成が前記実施形態と相違し、他の構成は前記実施形態と同一である。したがって、この切欠部３２ａを除くその他の構成については、詳細な説明は省略し、図５に、前記実施形態の図面に付した符号と同一の符号を付すに止める。
【００１６】
すなわち、図５に示すようにこの配送伝票３１は、表面側に配送情報記入部（図示せず）を有し、裏面側に粘着剤３を設けた貼付票３２と、表面側に配送情報記入部（図示せず）を有し、裏面側に剥離可能な接着剤３３を設けた配達票兼受領票７と、前記貼付票３２の粘着剤３を被覆する剥離紙（図示せず）とを重ねてなり、前記配達票兼受領票７の配送情報記入部（図示せず）にその表面側からの記入により前記貼付票３２の配送情報記入部（図示せず）へ複写記入するよう構成する。そして、剥離紙（図示せず）を剥離して貼着した配送品ａを受取人に手渡した際に、貼付票３２の切欠部３２ａに対応する配達票兼受領票７部分を指で摘まみ全体を捲くるように剥離し、この分離した配達票兼受領票７を持ち帰るのである。このように配送伝票３１は、前記切欠部３２ａを設けたので、配達票兼受領票７を摘みやすいという利点がある。
【００１７】
次に、上記実施形態の第２変形例を、図６（配達票兼受領票を剥離している状態を示す斜視図）によって説明する。この第２変形例の配送伝票４１は、下位の貼付票４２の所定辺（図６において左側辺）に、半円状に切り欠いた切欠部４２ａを設けた構成が前記実施形態あるいは第１変形例と相違し、他の構成は前記実施形態あるいは第１変形例と同一である。したがって、この切欠部４２ａを有する貼付票４２を除くその他の構成については、詳細な説明は省略し、図６に、前記実施形態あるいはその第１変形例の図面に付した符号と同一の符号を付すに止める。
【００１８】
すなわち、図６に示すようにこの配送伝票４１は、表面側に配送情報記入部（図示せず）を有し、裏面側に粘着剤３を設けた貼付票４２と、表面側に配送情報記入部（図示せず）を有し、裏面側に剥離可能な接着剤４３を設けた配達票兼受領票７と、前記貼付票４２の粘着剤３を被覆する剥離紙（図示せず）とを重ねてなり、前記配達票兼受領票７の配送情報記入部（図示せず）にその表面側から記入すると、前記貼付票４２の配送情報記入部（図示せず）へ複写記入するよう構成する。そして、配送品に剥離紙（図示せず）を剥離して貼着し、その配送品ａを受取人に手渡す際に、貼付票４２の切欠部４２ａに対応する配達票兼受領票７部分を指で摘まみ、全体を捲くるように剥離し、この分離した配達票兼受領票７を持ち帰るのである。このように配送伝票４１は、前記切欠部４２ａを設けたので、配達票兼受領票７を摘みやすいという利点がある。
【００１９】
なお、本発明は上述の実施形態あるいは変形例に何ら限定されるものではなく、例えば、接着後に剥離可能な接着剤６は、上述のような感圧性接着剤でなくともよい。また、複写構造はノーカーボン自己発色複式層２２でなくてもよい。さらに、剥離紙８の幅は、貼付票４，３２，４２の幅より長く構成しているが、同じ幅にしてもよい。
【００２０】
【発明の効果】
以上のように、請求項１に記載した本発明は、下位の貼付票に切欠部を設けることによって、貼付票の上位に位置する配達票兼受領票の所定辺あるいは所定コーナーを摘みやすいので、配達票兼受領票を剥がす作業が容易であり、スピーディーな配送作業ができるという効果を奏するほか、貼付票は配送品に貼付した後には剥離する必要がないので、貼付票の如何なる部分に、如何なる形状で、如何なる大きさの切欠部を設けても貼付票の取扱に支障をきたすことはないという効果を奏し、また、配達票兼受領票と貼付票間に複写構造を設けたので、配送情報記入部への記入作業は一度で済むという効果を奏する。
【図面の簡単な説明】
【図１】表面図。
【図２】図１のＡ−Ａ線断面図。
【図３】配達票兼受領票を剥離した状態の貼付票を示す表面図。
【図４】斜視図。
【図５】第１変形例における配達票兼受領票を剥離し始めた状態を示す斜視図。
【図６】第２変形例における配達票兼受領票を剥離し始めた状態を示す斜視図。
【符号の説明】
１，３１，４１  配送伝票
２  配送情報記入部
３  粘着剤
４，３２，４２  貼付票
４ａ，３２ａ，４２ａ  切欠部
５  配送情報記入部
６，３３，４３  接着剤
７  配達票兼受領票
８  剥離紙
２２  ノーカーボン自己発色複式層
２３  切り用ミシン目
【図１】
0003626333.tif 000002
【図２】
0003626333.tif 000003
【図３】
0003626333.tif 000004
【図４】
0003626333.tif 000005
【図５】
0003626333.tif 000006
【図６】
0003626333.tif 000007